(57)【要約】      （修正有）【課題】外壁パネル間の目地にガスケットが所定位置に位置決めして装填され、信頼性の高い、止水性を確保することができる目地のシール構造を提供する。【解決手段】ガスケット１１は頭部１５と脚部１６よりなり、脚部１６はＶ形の屈折部３４を備えた止水リップと、該止水リップを内側から押えて支持する押えリップ２７を有する。外壁パネルは面材１２ａと、下地材１２ｂと断熱材１２ｃを積層して構成され、下地材１２ｂは面材１２ａ及び断熱材１２ｃより引込んで段ｂ、ｃを形成し、外壁パネル間の目地１３は中間部が幅広で、室外側と室内側が幅狭に形成される。ガスケット１１は、止水リップの屈折部３４が段ｃに当たるまで押込まれ、段ｃに当たることで位置決めされる。【選択図】図３
2013174123.tif 000002
【特許請求の範囲】
【請求項１】
柱部１７、２６、４２、５２、６２と、該柱部１７、２６、４２、５２、６２の一ないし複数か所より両側方に向けて突設される止水リップ１９、２８、２９、５３、６４、６５を有するガスケット１１、４１、５１、６１を外壁パネル１２、７２、７７の小口面間の目地１３、７３、７８に押込んで装填してなるシール構造において、外壁パネル１２、７２、７７の小口面aが段ｃをなして前記目地１３、７３、７８は室内側が狭く形成されると共に、前記柱部１７、２６、４２、５２、６２の１ないし複数か所に設けられる前記止水リップ１９、２８、２９、５３、６４、６５のうち、一か所での止水リップ３４、５３、６４は位置決め手段を備え、前記ガスケット１１、４１、５１、６１は前記目地１３、７３、７８に止水リップ３４、５３、６４の前記位置決め手段が前記小口面ａに形成される段ｃに係止して位置決めされた状態で装填されることを特徴とする目地のシール構造。
【請求項２】
前記位置決め手段を備えた止水リップ３４、５３、６４は、中間部の屈曲ないし屈折点２８１、５３１、６４３で屈曲ないし屈折して、前記屈曲ないし屈折点２８１、５３１、６４３より先端側の先端側部分２８３、５３２、６４２が室内側を向き、先端側部分２８３、５３２、６４２又は該部分２８３、５３２、６４２の先端部２８２、５３３、６４５が前記ｃに係止する位置決め手段となり、また前記屈曲ないし屈折点２８１、５３１、６４３から先端に至るまでの範囲内の任意の箇所より側方に突出して一体形成され、外壁パネル１２、７２、７７に弾接する分岐リップ３４、５４、６７を備えることを特徴とする請求項１記載の目地のシール構造。
【請求項３】
前記外壁パネル１２、７２、７７は、下地材１２ｂ、７２ｂの表面に面材１２ａ、７２ａを、裏面に断熱ボード１２ｃ、７２ｃをそれぞれ下地材１２ｂ、７２ｂより側方に突出して積層した構造を有して下地材１２ｂ、７２ｂの小口面ａが面材１２ａ、７２ａと断熱ボード１２ｃ、７２ｃの小口面ａより引込んで下地材１２ｂ、７２ｂの小口面ａと、その上下に面材裏面の段ｂと断熱ボード表面の段ｃを備えた樋状の凹溝１２ｄ、７２ｄを形成し、前記分岐リップ３４、５４、６７は先端部３４１、５４１、６７１が前記凹溝１２ｄ、７２ｄの前記面材裏面の段ｂに弾接するか、又は外壁パネル１２、７２、７７の小口面ａに弾接することを特徴とする請求項２記載の目地のシール構造。
【請求項４】
前記位置決め手段を備えた止水リップ２８、５３、６４と分岐リップ３４、５４、６７には、前記面材１２ａ、７２ａ裏面の段ｂと断熱ボード１２ｃ、７２ｃ表面の段ｃのうち、少なくとも一方の段に弾接するスポンジ材４４が設けられることを特徴とする請求項１ないし３のいずれかの請求項に記載の目地のシール構造。
【請求項５】
前記分岐リップ３４を内側から押込み、分岐リップ３４の先端部３４１を前記外壁パネル１２の小口面ａに押付ける押えリップ２７を有することを特徴とする請求項２ないし４のいずれかの請求項に記載の目地のシール構造。
【発明の詳細な説明】
【技術分野】
【０００１】
本発明は、建物用の外壁パネル間の目地のシール構造に関する。なお本明細書において上下とは添付した図における上下方向をいうものとし、縦方向とは建物の上下方向をいい、これと直交する方向を横方向という。
【背景技術】
【０００２】
図１は、従来のシール構造の一例を示すもので、外壁パネル１の小口面間の目地２に装填されるガスケット３よりなる一次止水材と、柱４に断熱材５を介して取付けられ、目地２の室内側に被さる二次止水材６とからなり、ガスケット３は柱部３ａと、該柱部３ａより両側に突設され、外壁パネル１の小口面１ａに弾接する止水リップ３ｂより構成されている。
【０００３】
二次止水材６はベース６ａと、該ベース６ａの両側より上向きに突設され、目地２両側の外壁パネル側縁に弾接する止水リップ６ｂよりなっている。
【０００４】
図１に示す止水構造では、目地２は一次止水材と二次止水材で二重にシールされ、信頼性の高い止水性を確保することができるが、一次止水材と二次止水材を施工するのに二回の施工作業が必要である。
【０００５】
ガスケットを目地の室外側の段差部に当て、目地を閉塞するガスケット頭部と、該ガスケット頭部に連結され、側方に突出する止水リップで目地をシールするガスケット脚部よりなるガスケット（特許文献１）、一次止水材と二次止水材を一体化したガスケットや止水リップによる水密性を高めるため、止水リップの弾接部分をスポンジとしたガスケット（特許文献２）、止水リップと押えリップを有し、押えリップで止水リップを内側から押えて止水リップによる水密性を向上させたガスケット（特許文献３）も知られ、また止水リップが屈折部を有するガスケットも知られる（特許文献４）。
【先行技術文献】
【特許文献】
【０００６】
【特許文献１】特許第４０７１４１１号
【特許文献２】特許第３５０５６９５号
【特許文献３】特許第３１２８７６９号
【特許文献４】特開２００９−２７０３９２号（図２及び図３のヒレ６）
【発明の概要】
【発明が解決しようとする課題】
【０００７】
目地のシール構造は、信頼性の高い止水性を確保することが必要であることはもちろんであるが、そのほか外観上の観点からガスケットの目地への装填位置が深過ぎたり浅過ぎたりしないように所定位置に装填されることが望まれる。
本発明は、これらの要求を満たすことができる目地のシール構造を提供することを目的とする。
【課題を解決するための手段】
【０００８】
請求項１に係る発明は、柱部と、該柱部の一ないし複数か所より両側方に向けて突設される止水リップを有するガスケットを外壁パネルの小口面間の目地に押込んで装填してなるシール構造において、外壁パネルの小口面ａが段ｃをなして前記目地は室内側が狭く形成されると共に、前記柱部の１ないし複数か所に設けられる前記止水リップのうち、一か所での止水リップは位置決め手段を備え、前記ガスケットは前記目地に止水リップの前記位置決め手段が前記小口面ａに形成される段ｃに係止して位置決めされた状態で装填されることを特徴とする。
【０００９】
請求項２に係る発明は、請求項１に係る発明のシール構造において、前記位置決め手段を備えた止水リップは、中間部の屈曲ないし屈折点で屈曲ないし屈折して、前記屈曲ないし屈折点より先端側の先端側部分が室内側を向き、先端側部分又は該部分の先端部が前記段ｃに係止する位置決め手段となり、また前記屈曲ないし屈折点から先端に至るまでの範囲内の任意の箇所より側方に突出して一体形成され、外壁パネルに弾接する分岐リップを備えることを特徴とする。
【００１０】
請求項３に係る発明は、請求項２に係る発明のシール構造において、前記外壁パネルは、下地材の表面に面材を、裏面に断熱ボードをそれぞれ下地材より側方に突出して積層した構造をなして下地材の小口面ａが面材と断熱ボードの小口面ａより引込んで下地材の小口面ａと、その上下に面材裏面の段ｂと断熱ボード表面の段ｃを備えた樋状の凹溝を形成し、前記分岐リップは先端部が前記凹溝の前記面材裏面の段ｂに弾接するか、又は外壁パネルの小口面ａに弾接することを特徴とし、
請求項４に係る発明は、請求項１ないし３のいずれかに係る発明のシール構造において、前記位置決め手段を備えた止水リップと分岐リップには、前記面材裏面の段ｂと断熱ボード表面の段ｃのうち、少なくとも一方の段、好ましくは双方に弾接するスポンジ材が設けられることを特徴とする。
【００１１】
請求項５に係る発明は、請求項２ないし４のいずれかに係る発明のシール構造において、前記分岐リップを内側から押込み、分岐リップの先端部を前記外壁パネルの小口面ａに押付ける押えリップを有することを特徴とする。
【発明の効果】
【００１２】
請求項１に係る発明によると、外壁パネル間の目地にガスケットを装填するときには、止水リップが小口面に当り、窄みながら押込められるが、止水リップの位置決め手段が小口面の段に係止して位置決めされることにより、それ以上の押込みが規制され、段ｃに当たって位置決めされたときの感触でガスケットが所定位置まで押込まれたことを知得することができ、これによりガスケットを目地の所定位置に装填することができる。
【００１３】
請求項２に係る発明によると、ガスケット装填時、止水リップの先端側部分又は先端部が段ｃに当たることでガスケットの位置決めが行われ、また止水リップの先端側部分又は先端部が段ｃに当たると共に、分岐リップが外壁パネルに弾接することによりシールされ、止水性が向上し、下地材や断熱ボードの水濡れを防ぐことができる。
【００１４】
請求項３に係る発明によると、前記外壁パネルは、下地材の表面に面材を、裏面に断熱ボードをそれぞれ下地材より側方に突出して積層した構造をなして下地材の小口面ａが面材と断熱ボードの小口面ａより引込んで下地材の小口面ａと、その上下に面材裏面の段ｂと断熱ボード表面の段ｃを備えた樋状の凹溝を形成しており、止水リップは位置決め手段以外に分岐リップの先端部が前記凹溝を形成する面材裏面の段ｂ又は外壁パネルの小口面ａに弾接することでシール箇所が増え、止水性を向上させて、下地材や断熱ボードの水濡れを防ぐことができると共に、自立状態を維持し、地震等による外壁パネル相互の移動でガスケットを室外側に押し出そうとするのを防止することができる。また、面材裏面の段ｂにまで水が浸入した場合でも樋状の凹溝により水を階下方向に流れ落ちて排水することができる。特に分岐リップの先端部を前記面材裏面の段ｂに弾接させる場合は、下地材の小口面ａに当てないで、該小口面ａと分岐リップとの間に隙間を形成することが可能で、該隙間が形成されれば、面材裏面の段ｂと分岐リップ先端部との間より万一水が潜り抜けるようなことがあっても、前記形成された隙間より階下方向に流れ落ちて排水させることができる。
【００１５】
請求項４に係る発明によると、止水リップが弾接する面が粗い面であってもスポンジ材により高い止水性を確保することができる。
請求項５に係る発明によると、押えリップが支え棒的な機能を果たして、分岐リップの先端部を外壁パネルの小口面ａに確実に押付けることができるようになり、止水性がより一層向上する。
【図面の簡単な説明】
【００１６】
【図１】従来のシール構造の断面図。
【図２】本発明の実施形態に係るガスケットの断面図。
【図３】図２に示すガスケットを用いた本発明に係るシール構造の断面図。
【図４】本発明に係る別の態様のガスケットの断面図。
【図５】本発明に係る更に別の態様のガスケットの断面図。
【図６】図５に示すガスケットを用いた本発明に係るシール構造の断面図。
【図７】本発明に係る他の態様のガスケットの断面図。
【図８】図７に示すガスケットを用いたガスケットの断面図。
【図９】図７に示すガスケットを用いた別の態様のシール構造の断面図。
【発明を実施するための形態】
【００１７】
以下、本発明の実施形態の目地のシール構造について図面により説明する。
図２は、本実施形態のシール構造に用いるガスケット１１を示すものであり、図３は、図２に示すガスケット１１を外壁パネル１２を取り付けたときに形成される縦方向の小口面間の目地１３に装填してなる目地のシール構造を示すもので、ガスケット１１は一次止水材１５と、二次止水材１６よりなり、いずれもＥＰＤＭ等のゴム又は熱可塑性エラストマー、樹脂等のゴム様弾性体で形成されている。
【００１８】
一次止水材１５は、柱部１７と、柱部上端の室外側端部に両側方に向けて突出して一体形成される表層リップ１８と、柱部１７の室内側端部である柱部下端の両側より斜め上向きに突出して一体形成される止水リップ１９を備えた縦断面が略工字状をなしており、柱部１７は室内側の下部に上方に向う溝状の凹部２１が形成されると共に、凹部２１の周りにＵ形断面の芯金２２がインサートされ、凹部２１の開口側には突起２３が互いに向き合って突出形成されている。
【００１９】
前記表層リップ１８は表面が調色（塗装又は着色材料による被覆）された意匠面をなす表層部１８ａを備えている。
【００２０】
二次止水材１６は、柱部２６と、柱部２６の中間部両側より側方に突出して一体形成される押えリップ２７と、該押えリップ２７下の柱部２６より両側方に突出して一体形成される止水リップ２８と、柱部２６下端の室内側端部の両側より側方に突出して一体形成される止水リップ２９よりなり、各リップ２７、２８、２９は柱部２６と同質又はこれより軟質のゴム又はゴム様弾性体よりなっている。
【００２１】
前記柱部２６は、上端の室外側端部が前記一次止水材１５を受ける略逆三角形状の受部３１となり、該受部３１には、前記一時止水材１５の柱部１７に形成される凹部２１に嵌合係止する断面矢印状の凸部３２が上向きに突出形成されている。
【００２２】
柱部２６の複数か所に設けられる止水リップ２８、２９のうち、柱部下部の止水リップ２８は、山状をなして中間部の頂部の屈折点２８１より先端側の先端側部分２８３が室内側に向けて斜めに延び、先端部２８２または先端側部分２８３が位置決め手段となり、同じく山状をなす分岐リップ３４が前記止水リップ２８の先端部２８２に対し屈曲して一体形成され、やや斜め上向きに延びている。そして分岐リップ３４は、前記押えリップ２７及び止水リップ２９より側方に長く突出しており、止水リップ２８及びこれに接続される分岐リップ３４は、両側を末広がり状に拡開した略Ｍ字状の形態をなしている。
【００２３】
図３に示す外壁パネル１２は、下地材１２ｂの裏側の室内側に断熱ボード１２ｃを、表側の室外側に面材１２ａを積層した構造をなしており、下地材１２ｂの小口面ａが断熱ボード１２ｃ及び面材１２ａの小口面ａより引込んで、室内側と室外側の中間部に樋状の凹溝１２ｄを形成し、該凹溝１２ｄは、下地材１２ｂより突出する面材１２ａの突出部分の裏面よりなる室外側の側壁である段ｂと、下地材１２ｂより突出する断熱ボード１２ｃの突出部分の表面よりなる室内側の側壁である段ｃを溝底とする小口面ａの上下に備えた形状を有している。図中、１４はフレームである。
【００２４】
図３に示すように、外壁パネル１２を組付けたとき、縦向きに延びる小口面間に形成される目地１３は、中間部が前記凹溝１２ｄにより幅広となり、室外側と室内側が同じ幅で狭くなっている。
【００２５】
目地１３にガスケット１１を装填する際には、一次止水材１５の凹部２１に二次止水材１６の凸部３２を押込み、凸部３２が突起２３に係止することで抜け止めされて連結された状態で、ガスケット１１を前記目地１３に当てがい、二次止水材１６の止水リップ２９から目地１３に押込む。ガスケット１１の押込みは一次止水材１５を押えることにより行い、一次止水材１５の押込みにより一次止水材１５が二次止水材１６の受部３１に当たった状態となる。
【００２６】
ガスケット１１の押込みによって先ず止水リップ２９が、続いて分岐リップ３４が止水リップ２８と共に面材１２ａの小口面ａにより外向き（図２では上向き）に屈曲して窄むようにして撓み、押えリップ２７も止水リップ２８により押え込まれて外向きに撓む。
【００２７】
リップ２７、２８、２９、３４の中でも、止水リップ２８に接続されて側方に長く突出する分岐リップ３４はとりわけ、目地１３の室外側部分（面材１２ａの小口面ａ）を通る際に大きく撓むが、目地幅の広い目地中間部に入り込むにつれて拡がり、分岐リップ３４先端が面材１２ａの小口面ａを外れると、分岐リップ３４が拡開し、該リップ先端部２８２が目地中間部（下地材１２ｂ）の小口面ａ、すなわち凹溝１２ｄの溝底に弾接する。ガスケット１１の押込みにより、位置決め手段としての止水リップ先端部２８２又は止水リップ先端側部分２８３が凹溝１２ｄを形成する前記室内側側壁の段ｃに当たって支えると、そのときの感触で、ガスケット１１が所定位置まで押込まれたことが知得される。また分岐リップ３４が小口面の段ｂ及び段ｃ間の凹溝１２ｄに入り込むことにより、地震等による外壁パネル１２の相互の移動でガスケット１１を室外側に押し出そうとするのを抑制することができる。
【００２８】
前記実施形態では、面材１２ａの小口面間に形成される室外側の目地１３の幅と、断熱ボード１２ｃの小口面間に形成される室内側の目地１３の幅は、前述するように同一とされているが、ガスケット１１を押込む際には、面材１２ａの小口面ａを分岐リップ３４が通過せねばならず、したがって押込み作業性からすると、面材１２ａの小口面ａの幅は断熱ボード１２ｃの小口面ａの幅よりも広くてもよい。しかし広すぎると、シール性を低下させる懸念を生ずる。なお、図３では面材１２ａの小口面ａには、ガスケット１１を押込み易いように、室外側に拡開したテーパ面が形成されている。
【００２９】
止水リップ先端部２８２或いは図３に示すように、止水リップ先端側部分２８３が段ｃに当たるまで押込まれた状態で、分岐リップ３４は押えリップ２７で内側から突張られた状態となり、分岐リップ３４先端部３４１を下地材１２ｂの小口面ａ、すなわち前記凹溝１２ｄの溝底に押し付ける。このように止水リップ２９の分岐リップ３４を内側から押込み、前記小口面ａに押付ける押えリップ２７を有すると、押えリップ２７により分岐リップ３４が小口面ａに押付けられることで、止水性がより一層向上する。このとき止水リップ２９は断熱ボード１２ｃの小口面ａに弾接し、また一次止水材１５の止水リップ１９も面材１２ａの小口面ａに弾接し、高いシール性を確保する。
【００３０】
以上のようにして本実施形態のシール構造はガスケット１１により、面材１２ａの小口面ａに弾接する止水リップ１９、室内側の段ｃに弾接する止水リップ２８の先端側部分２８３及び下地材１２ｂの小口面ａ、すなわち前記凹溝１２ｄの溝底に弾接する分岐リップ３４の先端部３４１、そして断熱ボード１２cの小口面ａに弾接する止水リップ２９の先端部の４か所でシールされ、更には一次止水材１５も目地１３に納まることでリップ状をなす表層リップ１８の先端部が面材１２ａの小口面ａに弾接することを含めれば、計５か所の多点でシールされるようになり、シールラインを多く取ることで高い止水性を確保し、また目地１３は凹溝１２ｄにより中間部が拡げられることで排水空間が広くなり、止水リップ１９を潜り抜けた水の排水性を向上させている。
【００３１】
ガスケット１１はまた、止水リップ２８の先端側部分２８３が前記室内側の段ｃに当たると共に、分岐リップ先端部３４１が下地材１２ｂの小口面ａに弾接し、かつ押えリップ２７で分岐リップ３４が内側から押えられることで、地震等による外壁パネル１２相互の移動によりガスケット５１を室外側に押し出そうとするのを抑制することができる。
【００３２】
図４に示すガスケット４１は、前述のガスケット１１における一次止水材１５と二次止水材１６を一体形成した基本構成を有している。図中、図２に示すガスケット１１と同一構造部分には同一符号を付してある。
【００３３】
本実施形態で用いるガスケット４１は、ガスケット１１の一次止水材に相当する室外側の上端部に芯金４３をインサートした柱部４２と、表面を意匠面とした表層部１８ａを備えた柱部上端の表層リップ１８と、止水リップ１９を備え、かつ二次止水材に相当する柱部４２に押えリップ２７と、分岐リップ３４を有する止水リップ２８と、柱部下端の止水リップ２９を順に備えた構成を有し、止水リップ２８裏側の室内側及び下地材１２ｂの小口面ａに接触する分岐リップ先端部３４１にはスポンジ材４４が設けられ、止水リップ２８が当たる前記段ｃや下地材１２ｂの小口面ａが粗くても高いシール性を確保できるようにしている。
【００３４】
本実施形態で用いるガスケット４１は、一次止水材と二次止水材が一体で、一次止水材に芯金４３をインサートし、かつリップ２７、２９及びリップ２８は、分岐リップ３４と共に柱部２６と同質の材質で、しかも止水リップ２８裏側の室内側や分岐リップ先端部３４１にスポンジ材４４を設けた以外は、図２に示すガスケット１１と基本構造を同じくしている。
【００３５】
本実施形態で用いるガスケット４１は、リップ２７、２８、２９、３４が柱部４２と同材質のゴム又はゴム様弾性体で形成されているが、前記実施形態のガスケット１１と同様、柱部４２より軟質の材料で形成してもよい。
【００３６】
前記実施形態のガスケット１１及び４１における止水リップ１９には、シール性を高めるため、面材１２ａの小口面ａに弾接する箇所にスポンジ材を設けてもよい。
【００３７】
図５は、別の形態のガスケット５１を示すものであり、図６は図５に示すガスケット５１を外壁パネル１２の縦方向の小口面間の目地１３に装填してなる目地のシール構造を示すもので、図中、図３に示すシール構造及び図４に示すガスケット４１と同一構造部分には同一符号を付してある。
【００３８】
本実施形態に係るガスケット５１は、室外側の上端部に芯金４３をインサートした柱部５２と、表面を意匠面とした表層部１８ａを備えた柱部上端の表層リップ１８と、その下側の止水リップ１９と、柱部下部の山状をなす止水リップ５３と、柱部下端の止水リップ２９よりなり、柱部５２の複数か所に側方に突出して設けられるリップ１９、２９、５３のうち、柱部下部の止水リップ５３は、中間部の頂部の屈折点５３１で屈折して、柱部５２より室外側に向かって斜めに延出する根元側部分と、前記屈折点５３１より室内側に向かって斜めに延出する先端側部分５３２よりなり、前記屈折点５３１より側方に延び、止水リップ５３の根元側部分の延長方向に一体形成される分岐リップ５４を備えている。この分岐リップ５４は止水リップ１９、２９、５３よりも側方に長く延出し、また止水リップ５３の先端部５３３又は前記先端側部分５３２は位置決め手段となっている。そして先端側部分５３２の中間部より先端にかけての柱部５２を向く内側部分と、根元側部分の裏側である室内側及び分岐リップ先端部５４１にはスポンジ材４４が取付けられている。
【００３９】
本実施形態に係るガスケット５１も前記実施形態のガスケット４１と同様、各リップ１８、１９、２９及び５３が柱部５２と一体で共にＥＰＤＭ等のゴム又は熱可塑性エラストマーや柔軟性のある樹脂等のゴム様弾性体で形成されているが、各リップ１８、１９、２９、５３は柱部５２より軟質の材料で形成してもよい。
【００４０】
本実施形態のガスケット５１を目地１３に装填する際には、柱部下端の止水リップ２９から目地１３に押込む。この押込みにより先ず止水リップ２９が、続いて止水リップ５３が分岐リップ５４と共に面材１２ａの小口面ａにより押込まれ、窄むようにして撓む。ガスケット５１の目地１３への押込みに伴い、止水リップ２９は目地１３の凹溝１２ｄに入り込んで一旦拡開したのち、断熱ボード１２ｃの小口面ａで再度窄められ、また止水リップ５３は押込みに伴って先端側のスポンジ材４４が凹溝１２ｄを構成する室内側の段ｃに当たる。押込みがなおも続けられると、止水リップ先端側部分５３２が段ｃにより起こされて横向きとなると共に、分岐リップ先端部５４１のスポンジ材４４が面材１２ａの小口面ａより外れて分岐リップ５４及び止水リップ５３が凹溝１２ｄ内で拡開する。
【００４１】
止水リップ５３先端側部分５３２が横向きとなり、スポンジ材４４を介して段ｃに当たって支えた状態となると、そのときの感触でガスケット５１が所定位置まで押込まれたことが知得される。また分岐リップ先端部５４１のスポンジ材４４は面材１２ａの小口面ａより外れると、そのまま室外側の段ｂをずれ動きながら凹溝１２ｄ内の奥側に向かって拡開する。
【００４２】
この拡開は、止水リップ根元側部分のスポンジ材４４が断熱ボード１２ｃの小口面ａに押し付けられて、それ以上の拡がりが抑制されるまで行われる。
止水リップ２９が凹溝１２ｄを経て断熱ボード１２ｃに達するのに伴ってまた、止水リップ１９、続いて表層リップ１８が目地１３に押し込まれ、面材１２ａの小口面ａに弾接する。
図６は以上のようにして目地１３に装填されたガスケット５１によるシール構造を示している。
【００４３】
本実施形態のシール構造によると、図６に示されるようにガスケット５１の表層リップ１８と止水リップ１９が面材１２ａの小口面ａに弾接すると共に、止水リップ２９が断熱ボード１２ｃの小口面ａに弾接し、また分岐リップ先端部５４１のスポンジ材４４及び止水リップ５３先端側のスポンジ材４４が上下の段ｂ、ｃに、止水リップ根本側部分のスポンジ材４４が断熱ボード１２ｃの小口面ａにそれぞれ弾接することにより、計６箇所でシールされるようになり、高いシール性を確保し、下地材１２ｂや断熱ボード１２ｃが水濡れするのを防ぐことができる。また分岐リップ５４は、先端部５４１のスポンジ材４４と止水リップ５３先端側のスポンジ材４４が段ｂ、ｃに当たって支えた状態となり、更には止水リップ根元側のスポンジ材４４が断熱ボード１２ｃの小口面ａに弾接することにより、分岐リップ先端部５４１のスポンジ材４４が下地材１２ｂの小口面ａに当たらなくても、自立状態を維持することができるうえ、地震等による外壁パネル１２相互の移動でガスケット５１を室外側に押し出そうとするのを抑制することができる。
【００４４】
本実施形態の止水リップ５３はまた、分岐リップ５４が下地材の小口面ａに当たらず、該小口面ａと分岐リップ５３の間に隙間を形成したことにより、目地１３に侵入した水が万一、分岐リップ先端部５４１のスポンジ材４４と面材裏面の段ｂとの間を潜り抜けるようなことがあったとしても、前記隙間から階下方向に流出し、排水することができる。
【００４５】
前記実施形態のガスケット１１、４１、５１では、分岐リップ３４、５４は止水リップ２８、５３の屈折点２８１或いは先端部２８２に接続された形態をなしているが、屈折点２８１と先端との間の中間部、すなわち先端側部分２８３、５３２の任意の箇所より側方に突出形成してもよい。
【００４６】
図７は、分岐リップを止水リップの先端側部分の中間部に設けたガスケットの一例を示すもので、図示するガスケット６１は柱部６２と、柱部上端の受部６３と、柱部下部より側方に突出形成される止水リップ６４と、柱部下端に側方に突出して形成される止水リップ６５よりなり、柱部６２の複数か所より両側方に突出して形成される止水リップ６４、６５のうち、柱部下部の止水リップ６４は中間部で屈折して柱部６２より屈折点６４３まで横向きに延びる根本側部分６４１と、屈折点６４３より室内側に向けて斜めに延びる先端側部分６４２とで構成され、先端側部分６４２は中間部において更に屈曲し、先端側部分６４２の中間部である屈折点６４４より分岐リップ６７が室外側に向けて斜め側方に突出して一体形成されている。そして先端側部分６４２の先端部６４５が位置決め手段となっている。また屈折点６４３と６４４の間の先端側部分６４２の裏面である室内側には、スポンジ材４４が取付けられている。
【００４７】
分岐リップ６７には図示するように、目地１３への押込み時に折れ曲がって撓み易くなるようにするため、窪み６８が形成されている。図中、７０は芯材である。
本実施形態のガスケット６１も前記ガスケット４１及び５１と同様の材質で形成される。
【００４８】
図８は、図７に示すガスケット６１を外壁パネル７２の小口面間の目地７３に装填してなるシール構造を示すもので、外壁パネル７２は前記実施形態の外壁パネル１２と同様、面材７２ａと下地材７２ｂと断熱ボード７２ｃで構成されているが、前記実施形態の外壁パネル１２と比べ、面材７２ａの厚みが厚くなっている以外は、前記実施形態の外壁パネル１２と変わりはない。
【００４９】
目地７３にガスケット６１を装填する際には、受部６３を押えて目地内に押込むが、位置決め手段としての止水リップ先端部６４５が凹溝７２ｄを形成する室内側の段ｃに当たって支えたときの感触で、ガスケット６１が所定位置まで押込まれたことが知得される。前記先端部６４５が室内側の段ｃに当たった段階においてはまた、スポンジ材４４が段ｃに弾接してシールする。この状態においてはまた、分岐リップ６７の先端側は窪み６８で屈曲して先端部６７１が凹溝７２ｄの室外側の段ｂに弾接してシールすると共に、止水リップ６５は先端部が屈曲して断熱ボード７２ｃの小口面ａに弾接してシールする。
【００５０】
目地７３にガスケット６１を装填後、バックアップ材７５が面材間の目地７３に前記受部６３に当たるまで押込んで充填され、ついでシーリング材７６がバックアップ材７５に当たるまで押込んで充填される。
【００５１】
本実施形態のシール構造においては、シーリング材７６が面材７２ａの小口面ａに当たり、またガスケット６１は、分岐リップ６７の先端部６７１が凹溝７２ｄの室外側の段ｂに、止水リップ先端部６４５とスポンジ材４４が室内側の段ｃにそれぞれ弾接し、かつ止水リップ６５が断熱ボード７２ｃの小口面ａに当たることにより、目地７３は計５か所でシールされるようになる。また止水リップ６４は、分岐リップ先端部６７１と止水リップ先端部６４５及びスポンジ材４４が上下の段ｂ、ｃに当たって支えた状態となり、更には止水リップ６４の先端側部分６４２のスポンジ材４４が断熱ボード７２ｃの室外側段cに弾接することにより、下地材７２ｂの小口面ａに当たらなくても、前記ガスケット５１の止水リップ５３と同様、自立状態を維持することができるうえ、地震等による外壁パネル７２相互の移動でガスケット６１を室外側に押し出そうとするのを防止することができる。
【００５２】
分岐リップ６７はまた、下地材１２ｂの小口面ａに当たらないで、該小口面ａとの間に隙間を形成したことにより、前記実施形態と同様、シーリング材７６及びバックアップ材７５を通り、目地７３に侵入した水が万一、分岐リップ先端部と面材裏面の段ｂとの間を潜り抜けるようなことがあっても、前記隙間から階下方向に流出し、排水することができる。
【００５３】
図９は、図７に示すガスケット６１を外壁パネル７２の小口面ａと、面材７２ａに代えて窓枠のサッシ７６を取付けた構造をなす外壁パネル７７の小口面間の目地７８に装填してなるシール構造を示すもので、図８に示すシール構造と異なる点は、目地７３を形成する外壁パネル１２のうちの一方をサッシ７６を備えた外壁パネル７７とし、シーリング材７６がサッシ７６より突出しないようにバックアップ材７５の厚みを薄くしたことである。
【００５４】
本実施形態のシール構造においても前述した図８に示すシール構造と同様の効果を奏する。
【００５５】
図７に示すガスケット６１の分岐リップ６７の先端部６７１及び止水リップ先端部６４５に図６に示すガスケット５１と同様、スポンジ材４４を取付け、凹溝７２ｄの室外側の段ｂに弾接させると共に、断熱ボード７２cの小口面aに弾接させるようにしてもよい。
【００５６】
なお前記各実施形態の止水リップ１９、押えリップ２７及び止水リップ２９、６５はある方が望ましいが、必須ではなく、いずれか１つ以上を省くこともできる。また、図５のガスケット５１及び図７のガスケット６１では、表層リップ１８又は受部６３のある柱部上端の部位と、これよりも下側にある柱部下部が一体形成されている例のみを示したが、図２のガスケット１１のように柱部上端の部位と、これよりも下側の柱部下部が別体に形成され、目地へ装填する際に連結する構造となっていてもよい。
【符号の説明】
【００５７】
１１、４１、５１、６１・・ガスケット
１２、７２、７７・・外壁パネル
１３、７３、７８・・目地
１５・・頭部
１６・・脚部
１７、２６、４２、５２、６２・・柱部
１８・・表層リップ
１９、２８、２９、５３、６４、６５・・止水リップ
２１・・凹部
２２、４３、７０・・芯材
２４、４４・・スポンジ材
２７・・押えリップ
３１、６３・・受部
３２・・凸部
３４、５４、６７・・分岐リップ
５４・・突部
６６・・屈折部
７５・・バックアップ材
７６・・シーリング材
【図１】
2013174123.tif 000003
【図２】
2013174123.tif 000004
【図３】
2013174123.tif 000005
【図４】
2013174123.tif 000006
【図５】
2013174123.tif 000007
【図６】
2013174123.tif 000008
【図７】
2013174123.tif 000009
【図８】
2013174123.tif 000010
【図９】
2013174123.tif 000011